(57)【要約】【課題】各台計数島と島端計数島との間で持玉を移動する場合の便宜を図る。【解決手段】島端計数機１３に、計数した計数値を記録した持玉券１９を発行する機能及び持玉券１９に記録されている計数値を読取ってパチンコ玉を払出す機能を設けた。各台計数島１から島端計数島２へ移動する場合には、持玉を記録した持玉券１９を各台計数機４にて発行し、その持玉券１９を島端計数機１３に挿入して持玉を玉箱に払出すことができ、一方、島端計数島２から各台計数島１へ移動する場合には、持玉を記録した持玉券１９を島端計数機１３にて発行し、その持玉券１９を各台計数機４に挿入して持玉を払出すことができる。【選択図】図１
2012143439.tif 000002
【特許請求の範囲】
【請求項１】
複数の遊技機及びそれら複数の遊技機それぞれに１対１で対応して複数の各台計数機が設置される第１遊技島と、複数の遊技機及びそれら複数の遊技機に対応して１台の島端計数機が設置される第２遊技島とが設けられた遊技場における遊技場用システムであって、
前記各台計数機は、対応する遊技機から払出された遊技媒体を計数し、その計数値を特定可能な計数情報を記録した第１記録媒体を発行すると共に、当該第１記録媒体に記録された計数情報により特定される計数値の範囲内で遊技媒体を払出すように構成され、
前記島端計数機は、投入された遊技媒体を計数し、その計数値を特定可能な計数情報を、前記第１記録媒体及び景品交換に限り利用可能な第２記録媒体のうち選択された一方に記録して発行すると共に、前記第１記録媒体に記録された計数情報により特定される計数値の範囲内で遊技媒体を払出すように構成され、
前記第１記録媒体及び前記第２記録媒体に記録された計数情報に基づいて景品交換処理を実行する景品交換装置と、
前記第１記録媒体及び前記第２記録媒体に記録された計数情報を管理する管理装置と、を備えたことを特徴とする遊技場用システム。
【請求項２】
前記管理装置は、前記島端計数機が前記計数値の範囲内で払出した遊技媒体の数を、再遊技媒体数として管理することを特徴とする請求項１に記載した遊技場用システム。
【発明の詳細な説明】
【技術分野】
【０００１】
本発明は、複数の遊技機及びそれら複数の遊技機それぞれに１対１で対応して複数の各台計数機が設置される第１遊技島と、複数の遊技機及びそれら複数の遊技機に対応して１台の島端計数機が設置される第２遊技島とが設けられた遊技場における遊技場用システムに関する。
【背景技術】
【０００２】
昨今の遊技場（パチンコ店）においては、遊技機（パチンコ機）毎に計数機（各台計数機）が設置された遊技機島である各台計数島と、島端のみに計数機（島端計数機）が設置された遊技機島である島端計数島とが併設されることが珍しくない。各台計数島では、遊技者が獲得した遊技媒体（獲得媒体）であるパチンコ玉（持玉）をその場で計数することが可能であり、遊技機を移動する場合にはその計数値を記録した持玉券を移動元の各台計数機にて発行し、その持玉券を持って各台計数島内を移動し、その持玉券を移動先の各台計数機に挿入して持玉を払出すという運用をしている（例えば特許文献１参照）。一方、島端計数島では、遊技者が獲得した持玉を玉箱に収納し、その持玉を収納した玉箱を持って島端計数島内を移動するのが普通である。
【先行技術文献】
【特許文献】
【０００３】
【特許文献１】特開２００９−２７３７６９号公報
【発明の概要】
【発明が解決しようとする課題】
【０００４】
上記したように同一島の中で持玉を移動するのは容易であるが、各台計数島から島端計数島へ又は島端計数島から各台計数島へというような各台計数島と島端計数島との間で持玉を移動するときには次のような問題が生じていた。即ち、島端計数島から各台計数島へ持玉を移動する場合には、玉箱を持って移動することになり、各台計数島では遊技機毎に各台計数機が設置されているために玉箱を置くスペースが無いという問題があった。逆に、各台計数島から島端計数島へ持玉を移動する場合には、島端計数島では持玉券を取り扱うことができないという問題があった。このように実質的に両島間では持玉を移動することができない状況になっていた。
【０００５】
本発明は、上記した事情に鑑みてなされたものであり、その目的は、複数の遊技機それぞれに１対１で対応して複数の各台計数機が設置される第１遊技島と、複数の遊技機に対応して１台の島端計数機が設置される第２遊技島とが設けられた遊技場において、第１遊技島と第２遊技島との間で持玉を移動する場合の便宜を図ることを可能とする遊技場用システムを提供することにある。
【課題を解決するための手段】
【０００６】
請求項１に記載した遊技場用システムは、複数の遊技機及びそれら複数の遊技機それぞれに１対１で対応して複数の各台計数機が設置される第１遊技島と、複数の遊技機及びそれら複数の遊技機に対応して１台の島端計数機が設置される第２遊技島とが設けられた遊技場における遊技場用システムであって、前記各台計数機は、対応する遊技機から払出された遊技媒体を計数し、その計数値を特定可能な計数情報を記録した第１記録媒体を発行すると共に、当該第１記録媒体に記録された計数情報により特定される計数値の範囲内で遊技媒体を払出すように構成され、前記島端計数機は、投入された遊技媒体を計数し、その計数値を特定可能な計数情報を、前記第１記録媒体及び景品交換に限り利用可能な第２記録媒体のうち選択された一方に記録して発行すると共に、前記第１記録媒体に記録された計数情報により特定される計数値の範囲内で遊技媒体を払出すように構成され、前記第１記録媒体及び前記第２記録媒体に記録された計数情報に基づいて景品交換処理を実行する景品交換装置と、前記第１記録媒体及び前記第２記録媒体に記録された計数情報を管理する管理装置と、を備えたことを特徴とする。
【０００７】
請求項２に記載した遊技場用システムは、前記管理装置は、前記島端計数機が前記計数値の範囲内で払出した遊技媒体の数を、再遊技媒体数として管理することを特徴とする。
【発明の効果】
【０００８】
請求項１に記載した遊技場用システムによれば、第１遊技島から第２遊技島へ持玉を移動する場合には、第１遊技島の各台計数機にて遊技媒体（持玉）を計数して第１記録媒体（持玉券）を発行し、その発行した第１記録媒体を第２遊技島の島端計数機に挿入して遊技媒体を払出し、その払出した遊技媒体を玉箱へ収納することで第２遊技島へ持ち込むことができる。一方、第２遊技島から第１遊技島へ持玉を移動する場合には、第２遊技島の島端計数機にて遊技媒体（持玉）を計数して第１記録媒体を発行し、その発行した第１記録媒体を第１遊技島の各台計数機に挿入して遊技媒体を払出することで第１遊技島へ持ち込むことができる。又、計数した後に再遊技することなく遊技場から退店するときには、第１遊技島の各台計数機にて遊技媒体を計数して第１記録媒体を発行するか、第２遊技島の島端計数機にて遊技媒体を計数して第２記録媒体（レシート）を発行し、景品交換装置にて景品交換処理を実行することで対応することができる。
【０００９】
請求項２に記載した遊技場用システムによれば、島端計数機が第１記録媒体に基づいて払出した遊技媒体の数を管理装置により再遊技媒体数として管理することで、第２遊技島から第１遊技島へ移動した持玉の玉数を管理することができる。
【図面の簡単な説明】
【００１０】
【図１】本発明の一実施形態を示す全体構成図
【図２】各台計数機の機能ブロック図
【図３】島端計数機の外観斜視図
【図４】島端計数機の機能ブロック図
【図５】（ａ）は計数中画面、（ｂ）は計数完了画面を示す図
【発明を実施するための形態】
【００１１】
以下、本発明の一実施形態について、図面を参照して説明する。図１は、遊技場用システムの全体構成を概略的に示している。遊技場（パチンコ店）には、各台計数島１（第１遊技島に相当）と島端計数島２（第２遊技島に相当）とが併設されている。各台計数島１には、遊技機３毎に各台計数機４が設置されており、それら複数の遊技機３及び複数の各台計数機４は、ＬＡＮ５を介して中継装置６に接続されている。島端計数島２には、遊技機７毎に貸出機８が設置されており、それら複数の遊技機７及び複数の貸出機８は、ＬＡＮ９を介して中継装置１０に接続されている。中継装置６及び中継装置１０は、ＬＡＮ１１を介して管理装置１２、島端計数機１３及び景品交換装置（ＰＯＳ端末）１４に接続されている。
【００１２】
遊技機３及び遊技機７は、所謂デジパチとしての周知のパチンコ機等であり、遊技者がハンドルを操作すると、パチンコ玉（遊技媒体）が盤面に発射され、そのパチンコ玉が入賞口に入賞すると、その入賞に応じた玉数のパチンコ玉を払出したり大当たり抽選を行ったりする。大当たり抽選では、所謂特別図柄（特図）による図柄変動を実行し、停止表示された図柄が大当たり図柄の場合に大当たりが発生する。大当たりが発生すると、例えば１５ラウンド分だけ大入賞口を開放する。尚、遊技機３及び遊技機７は、遊技者による遊技が進行することに応じて、打ち込んだパチンコ玉の玉数である投入媒体数を特定可能なアウト信号、払出されたパチンコ玉の玉数である払出媒体数を特定可能なセーフ信号、大当たり状態を特定可能な大当たり信号等の各種の遊技信号を出力する。各台計数島１に設置されている遊技機３と島端計数島２に設置されている遊技機７とは、例えば遊技機３がパチンコ玉１玉を１円の交換単価とするパチンコ機である一方で、遊技機７がパチンコ玉１玉を４円の交換単価とするパチンコ機である等、営業形態が異なる関係にある。
【００１３】
図２は、各台計数島１において遊技機３毎に設置されている各台計数機４の構成を機能ブロック図により示している。各台計数機４は、ＣＰＵ、ＲＯＭ、ＲＡＭ、Ｉ／Ｏを有する制御部１５、パチンコ玉を計数する計数部１６、各種情報を表示する表示部１７、各種キーや各種釦からなる操作部１８、計数部１６が計数した計数結果である計数値を記録した持玉券１９（第１記録媒体に相当）を持玉券挿入口２０（図１参照）から発行する持玉券発行部２１、持玉券１９が持玉券挿入口２０に挿入されたことに応じて持玉券１９に記録されている計数値を読取る持玉券リーダ２２、玉払出ノズルを介して遊技機３の上部受皿にパチンコ玉を払出す払出部２３、各種信号を送受信する送受信部２４、パチンコ玉を貸出すための処理全般（貨幣受付処理、遊技機３に対する貸出指令出力処理等）を実行するＣＲユニット部２５等を備えて構成されている。即ち、各台計数機４は、後述する貸出機８と同等の機能を有している。
【００１４】
持玉券１９は、計数値を記録可能なメモリを有するＩＣチップを内蔵したＩＣカードであり、ＩＣ持玉券とも称される。尚、持玉券１９には、計数値の他に、発行された時刻である発行時刻、持玉券１９を識別可能な持玉券ＩＤ、発行元の各台計数機４を特定可能な各台計数機ＩＤ等も記録される。又、各台計数機４は、機器の状態を表示する状態表示ＬＥＤ（図示せず）や、従業員が所持する従業員リモコンから送信された信号を受信する信号受信部等をも備えている。
【００１５】
各台計数機４は、遊技機３の下部受皿が開放されることで落下したパチンコ玉を受皿部で受けると、その受けたパチンコ玉を計数部１６により計数し、計数を完了すると、その計数結果である計数値を持玉として特定し、その持玉として特定した計数値を表示部１７に表示する。ここで、遊技者が操作部１８に設けられている発行釦を操作すると、計数部１６が計数した計数値を記録した持玉券１９を持玉券発行部２１により持玉券挿入口２０から発行する。この場合、遊技者が操作部１８に設けられているテンキーを操作し、持玉として特定した計数値の一部を数値入力して指定すると、その指定した玉数だけを記録した持玉券１９を持玉券発行部２１により持玉券挿入口２０から発行する。又、遊技者が操作部１８に設けられている払戻釦を操作すると、計数部１６が計数した計数値の範囲内でパチンコ玉を払出部２３から玉払出ノズルを介して遊技機３の上部受皿に払出す。
【００１６】
又、遊技者が持玉券１９を持玉券挿入口２０に挿入すると、その挿入された持玉券１９に記録されている計数値を持玉券リーダ２２により読取り、その読取った計数値の範囲内でパチンコ玉を払出部２３から玉払出ノズルを介して遊技機３の上部受皿に払出す。尚、各台計数機４は持玉券１９を所定枚数（１０枚）までストック可能であり、複数の持玉券１９を受付順にストックしており、持玉券１９を発行する場合には、ストックしている持玉券のうち受付順が最新である持玉券１９を発行する。
【００１７】
島端計数島２において遊技機７毎に設置されている貸出機８は、貨幣を投入する貨幣投入口を有する所謂ＣＲユニットであり、ＣＰＵ、ＲＯＭ、ＲＡＭ、Ｉ／Ｏを有する制御部、各種信号を送受信する送受信部等を備えて構成されている。貸出機８は、遊技者が貨幣を貨幣投入口に投入した状態で貸出釦を操作すると、払出単位の玉数のパチンコ玉を遊技機７に払出す。
【００１８】
管理装置１２は、遊技場内の例えば事務室等に設置され、ＣＰＵ、ＲＯＭ、ＲＡＭ、Ｉ／Ｏを有する制御部、各種信号を送受信する送受信部、モニタ及びプリンタ等からなる出力部等を備えて構成されている。管理装置１２は、各台計数島１に設置されている遊技機３や各台計数機４、島端計数島２に設置されている遊技機７や貸出機８、島端計数機１３、景品交換装置１４等との間で各種信号を送受信することで、周知の出玉率等の遊技情報を集計したり、各台計数機４からの持玉券１９の発行状況や後述する島端計数機１３からの持玉券１９及びレシート２７（第２記録媒体に相当、図４参照）の発行状況を管理したりする。
【００１９】
島端計数機１３は、島端計数島２に設置されている遊技機７で獲得したパチンコ玉を計数するための機器であり、遊技場内の島端計数島２の島端に設置される。図３は、島端計数機１３の外観斜視図を示している。島端計数機１３は、筐体２６に、レシート２７を発行するレシート発行口２８、上記した持玉券１９を発行する持玉券発行口２９、従業員が所持する従業員カード３０（図４参照）から従業員データを読取る従業員カードリーダ３１、タッチパネル液晶ディスプレイからなる表示部３２、返却玉（余り玉）を払出す返却玉払出口３３、手動開閉式のスライドカバー３４等を備えて構成されている。尚、実際に島端計数機１３でパチンコ玉を計数する際は、遊技者自らが単独で計数しても良いし、不正行為を防止する目的で遊技者による計数を禁止し、必ず従業員が計数するようにしても良い。
【００２０】
レシート２７は、計数値を例えば２次元コードで記録した紙媒体である。尚、レシート２７には、計数値の他に、発行された時刻である発行時刻、レシート２７を識別可能なレシートＩＤ、発行元の島端計数機１３を特定可能な島端計数機ＩＤ等も記録される。従業員カード３０は、従業員を識別可能な従業員データが記録されているメモリを有するＩＣチップを内蔵したＩＣカードである。
【００２１】
図４は、島端計数機１３の構成を機能ブロック図により示している。島端計数機１３は、ＣＰＵ、ＲＯＭ、ＲＡＭ、Ｉ／Ｏを有する制御部３５、パチンコ玉を計数する計数部３６、上記した従業員カードリーダ３１、上記した表示部３２、表示部３２に形成される各種タッチキーからなる操作部３７、計数値を記録した持玉券１９を上記した持玉券発行口２９から発行する持玉券発行部３８、持玉券１９が持玉券発行口２９に挿入されたことに応じて持玉券１９に記録されている計数値を読取る持玉券リーダ３９、計数値を印字したレシート２７を上記したレシート発行口２８から発行するレシート発行部４０、パチンコ玉を払出す払出部４１、記憶部４２、各種信号を送受信する送受信部４３等を備えて構成されている。
【００２２】
島端計数機１３において、制御部３５は、遊技者が遊技して獲得した獲得媒体であるパチンコ玉をスライドカバー３４が開放されることで受入口から受入れ、その受入れたパチンコ玉の計数を計数部３６により開始すると、計数中にあるときには、図５（ａ）に示すように、計数中であることを示す計数中画面５１を表示部３２に表示する。この場合、制御部３５は、計数中の計数値（図５（ａ）では「２１２５」）を計数値表示領域５１ａに表示し、計数値を記録した記録媒体として持玉券１９及びレシート２７のうち何れを発行するかを選択可能な選択釦５１ｂを表示する。ここで、従業員や遊技者は選択釦５１ｂを押下することで持玉券１９及びレシート２７のうち何れを発行するかを選択可能である。
【００２３】
又、制御部３５は、計数を完了したと判定すると、図５（ｂ）に示すように、計数を完了したことを示す計数完了画面５２を表示部３２に表示する。制御部３５は、計数結果である計数値（図５（ｂ）では「３８５２」）を計数値表示領域５２ａに表示し、この場合も、計数値を記録する記録媒体として持玉券１９及びレシート２７のうち何れを発行するかを選択可能な選択釦５２ｂを計数中画面５１から引続いて表示し、精算釦５２ｃ（「全部発券」釦と「あまり返却」釦）を表示する。「全部発券」釦が押下された場合には計数値全てを記録した持玉券１９又はレシート２７を発行し、「あまり返却」釦が押下された場合には計数値を特定景品の交換玉数で除算した商（余りは返却玉払出口３３から払出す）に相当する計数値を記録した持玉券１９又はレシート２７を発行する。ここでも、従業員や遊技者は選択釦５２ｂを押下することで持玉券１９及びレシート２７のうち何れを発行するかを選択可能である。尚、図５では計数完了中５１における選択釦５１ｂ及び計数完了画面５２における選択釦５２ｂが何れもレシート２７での発行を選択している場合を示している。又、初期設定はレシート２７での発行及び持玉券１９での発行の何れであっても良い。
【００２４】
制御部３５は、持玉券１９での発行が選択された状態で精算釦５２ｃが押下されたと判定すると、計数値を記録した持玉券１９を持玉券発行部３８により持玉券発行口２７から発行し、レシート２７での発行が選択された状態で精算釦５２ｃが押下されたと判定すると、計数値を記録したレシート２７をレシート発行部４０によりレシート発行口２８から発行する。このようにして従業員や遊技者は、計数中に表示される計数中画面５１の選択釦５１ｂを押下したり計数完了後に表示される計数完了画面５２の選択釦５２ｂを押下したりすることで、計数値を記録した記録媒体として持玉券１９及びレシート２７のうち何れを発行するかを選択することができ、計数完了画面５２の精算釦５２ｃを押下することで、その選択した記録媒体を発行することができる。尚、従業員や遊技者が持玉券１９の発行を選択した場合に、従業員や遊技者が計数値の一部を数値入力して指定すると、その指定した玉数だけを記録した持玉券１９を発行するようにしても良い。
【００２５】
又、制御部３５は、遊技者が持玉券１９を持玉券発行口２９に挿入すると、その挿入された持玉券１９に記録されている計数値を持玉券リーダ３９により読取り、その読取った計数値の範囲内でパチンコ玉を払出部４１から払出す。このとき、制御部３５は、このようにして持玉券１９に基づいて払出したパチンコ玉の玉数（再遊技媒体数に相当）を特定可能な再遊技媒体数信号を送受信部４３から管理装置１２へ出力する。管理装置１２は、島端計数機１３から出力された再遊技媒体数信号を受信すると、その受信した再遊技媒体数信号に基づいて島端計数機１３にて払出されたパチンコ玉の玉数を特定して管理する。
【００２６】
景品交換装置１４は、従業員が景品交換を行うために扱う機器であり、遊技場内の景品交換カウンタに設置される。景品交換装置１４は、ＣＰＵ、ＲＯＭ、ＲＡＭ、Ｉ／Ｏを有する制御部、各種信号を送受信する送受信部等を備えて構成されている。景品交換装置１４は、レシート２７に記録されている計数値を読取可能なスキャナを有しており、遊技者が提出したレシート２７に記録されている計数値をスキャナにより読取り、その読取った計数値に対応する景品（例えば特殊景品等）の個数を算出し、その算出結果を表示部に表示する。又、景品交換装置１４は、上記した持玉券１９を挿入可能な持玉券挿入口を有しており、遊技者が提出した持玉券１９に記録されている計数値を持玉券リーダにより読取り、この場合も、その読取った計数値に対応する景品の個数を算出し、その算出結果を表示部に表示する。即ち、遊技者は、レシート２７及び持玉券１９の何れでも景品交換を行うことが可能である。
【００２７】
上記した構成では、各台計数島１の遊技機３で遊技する遊技者は、遊技により獲得した獲得媒体であるパチンコ玉（持玉）をその場で（着席したままで）、自分が遊技した遊技機３に対応する各台計数機４により計数することができる。この場合、各台計数島１の遊技機３で遊技する遊技者は、各台計数島１の中で遊技機３を移動する（台移動する）場合には、遊技により獲得したパチンコ玉の計数値を記録した持玉券１９を移動元の遊技機３に対応する各台計数機４にて発行し、その持玉券１９を持って各台計数島１内を移動し、その持玉券１９を移動先の遊技機３に対応する各台計数機４に挿入し、その持玉券１９に記録されている計数値の範囲内でパチンコ玉を払出すことで、各台計数島１の中で持玉を移動することができる。一方、島端計数島２の遊技機７で遊技する遊技者は、島端計数島２の中で遊技機７を移動する（台移動する）場合には、遊技により獲得した獲得媒体であるパチンコ玉を遊技機７から払出して玉箱に収納し、そのパチンコ玉を収納した玉箱を持って島端計数島２内を移動することで、島端計数島２の中で持玉を移動することができる。
【００２８】
ここで、本実施形態では、上記したように、島端計数島２の島端に設置される島端計数機１３に、各台計数機４と同様に、計数した計数値を記録した持玉券１９を発行する機能を設けると共に、持玉券１９に記録されている計数値を読取ってパチンコ玉を払出す機能を設けたので、遊技者は以下に示すようにして各台計数島１と島端計数島２との間で移動する（島を変更して台移動する）ことができる。
【００２９】
即ち、各台計数島１の遊技機３で遊技する遊技者は、各台計数島１の遊技機３から島端計数島２の遊技機７へ移動する場合には、遊技により獲得したパチンコ玉の計数値を記録した持玉券１９を移動元の遊技機３に対応する各台計数機４にて発行し、その持玉券１９を持って遊技場内を島端計数機１３まで移動し、その持玉券１９を島端計数機１３に挿入し、その持玉券１９に記録されている計数値の範囲内でパチンコ玉を島端計数機１３から払出して玉箱に収納し、そのパチンコ玉を収納した玉箱を持って移動先の遊技機７へ移動することで、各台計数島１から島端計数島２へ持玉を移動することができる。
【００３０】
又、島端計数島２の遊技機７で遊技する遊技者は、島端計数島２の遊技機７から各台計数島１の遊技機３へ移動する場合には、遊技により獲得した獲得媒体であるパチンコ玉を遊技機７から払出して玉箱に収納し、そのパチンコ玉を収納した玉箱を持って遊技場内を島端計数機１３まで移動し、その玉箱のパチンコ玉を計数した計数値を記録した持玉券１９を島端計数機１３にて発行し、その持玉券１９を持って移動先の遊技機３へ移動し、その持玉券１９を移動先の遊技機３に対応する各台計数機４に挿入し、その持玉券１９に記録されている計数値の範囲内でパチンコ玉を払出すことで、島端計数島２から各台計数島１へ持玉を移動することができる。
【００３１】
尚、持玉による再遊技を行うことなく遊技場から退店する場合には、島端計数機１３にて発行したレシート２７や各台計数機４にて発行した持玉券１９を景品交換カウンタにて従業員に提出し、そのレシート２７や持玉券１９に記録されている計数値が景品交換装置１４にて読取られることで、そのレシート２７や持玉券１９に記録されている計数値に相当する景品を受取ることで対応することができる。
【００３２】
以上に説明したように本実施形態によれば、島端計数島２の島端に設置される島端計数機１３に、計数した計数値を記録した持玉券１９を発行する機能及び持玉券１９に記録されている計数値を読取ってパチンコ玉を払出す機能を設けたので、次に示す作用効果を得ることができる。各台計数島１の遊技機３から島端計数島２の遊技機７へ移動する場合に、遊技により獲得したパチンコ玉を計数した計数値を記録した持玉券１９を移動元の遊技機３に対応する各台計数機４にて発行し、その持玉券１９を持って遊技場内を島端計数機１３まで移動し、その持玉券１９を島端計数機１３に挿入して持玉を玉箱に払出し、その持玉を収納した玉箱を持って移動先の遊技機７へ移動することで、各台計数島１から島端計数島２へ持玉を移動することができる。又、島端計数島２の遊技機７から各台計数島１の遊技機３へ移動する場合に、遊技により獲得した獲得媒体であるパチンコ玉を玉箱に収納し、その玉箱を持って遊技場内を島端計数機１３まで移動し、遊技により獲得したパチンコ玉を計数した計数値を記録した持玉券１９を島端計数機１３にて発行し、その持玉券１９を持って移動先の遊技機３へ移動し、その持玉券１９を移動先の遊技機３に対応する各台計数機４に挿入して持玉を払出すことで、島端計数島２から各台計数島１へ持玉を移動することができる。
【００３３】
本発明は、上記した実施形態にのみ限定されるものではなく、以下のように変形又は拡張することができる。
対象となる遊技機としてはパチンコ機に限らずスロットマシンであっても良い。
管理装置１２において、島端計数機１３から受信した再遊技媒体数信号に基づいて島端計数機１３にて払出されたパチンコ玉の玉数と計数機ＩＤとを対応付けて管理するように構成すれば、遊技場内に複数の島端計数島２が設置されている場合に、各台計数島１から島端計数島２への持玉の移動がどの程度であったかを島端計数島２毎に管理することができ、遊技者が台移動する傾向（遊技者がどの島端計数島２での遊技を好み、どの島端計数島２での遊技を避けるか等）を把握することができる。
【００３４】
各台計数機４及び島端計数機１３において、持玉券１９を発行する毎に当該持玉券１９を発行した計数機を識別可能な計数機ＩＤを管理装置１２へ出力すると共に、持玉券１９に記録されている計数値に基づいて持玉を払出す毎に当該持玉を払出した計数機を識別可能な計数機ＩＤを管理装置１２へ出力し、管理装置１２において、持玉券１９を発行した計数機及び持玉を払出した計数機を管理するように構成すれば、上記した各台計数島１から島端計数島２への持玉の移動がどの程度であったかだけでなく、島端計数島２から各台計数島１への持玉の移動がどの程度であったかをも把握することができる。
【符号の説明】
【００３５】
図面中、１は各台計数島（第１遊技島）、２は島端計数島（第２遊技島）、３は遊技機、４は各台計数機、７は遊技機、１２は管理装置、１３島端計数機、１４は景品交換装置、１９は持玉券（第１記録媒体）、２７はレシート（第２記録媒体）である。
【図１】
2012143439.tif 000003
【図２】
2012143439.tif 000004
【図３】
2012143439.tif 000005
【図４】
2012143439.tif 000006
【図５】
2012143439.tif 000007